(57)【要約】【課題】アニメーション画像や動画等の時間変化画像を表示する場合の消費電力を軽減することができる携帯型の通信端末装置を提供する。【解決手段】表示部の画面に壁紙としてアニメーション画像が表示されている状態でバックライトの消灯により表示部の画面の明るさレベルが低レベルに切り換わったとき、アニメーション画像の再生処理を一時停止するように画像再生処理部を制御する。また、アニメーション画像の再生処理が一時停止された後、表示部の画面の明るさレベルが低レベルから通常表示レベルに切り換ったとき、一時停止状態にあるアニメーション画像の再生処理を再開するように画像再生処理部を制御する。【選択図】図４
2010011334.tif 000002
【特許請求の範囲】
【請求項１】
携帯型の通信端末装置であって、
画像を表示する表示部と、
表示内容が時間的に変化する時間変化画像を前記表示部の画面に表示するように前記時間変化画像の再生処理を実行する画像再生処理部と、
前記表示部の画面の明るさレベルの切り替えを制御可能な表示制御部と、
前記表示部の画面に前記時間変化画像が表示されている状態で前記表示部の画面の明るさレベルが低レベルに切り換わったとき、前記時間変化画像の再生処理を一時停止するように前記画像再生処理部を制御する主制御部と、を備えたことを特徴とする通信端末装置。
【請求項２】
請求項１の通信端末装置において、
前記表示部は、バックライトを有する液晶ディスプレイであり、
前記表示制御部は、前記バックライトを消灯することにより前記表示部の画面の明るさレベルを低レベルにするように制御することを特徴とする通信端末装置。
【請求項３】
携帯型の通信端末装置であって、
画像を表示する表示部と、
表示内容が時間的に変化する時間変化画像を前記表示部の画面に表示するように前記時間変化画像の再生処理を実行する画像再生処理部と、
前記表示部の画面への画像表示のオン／オフの切り換えを制御可能な表示制御部と、
前記表示部の画面に前記時間変化画像が表示されている状態で前記表示部の画面における画像表示がオフになったとき、前記時間変化画像の再生処理を一時停止するように前記画像再生処理部を制御する主制御部と、を備えたことを特徴とする通信端末装置。
【請求項４】
請求項３の通信端末装置において、
前記表示部は、バックライトを有する液晶ディスプレイであり、
前記表示制御部は、前記液晶ディスプレイの駆動を停止することにより前記表示部の画面への画像表示をオフするように制御することを特徴とする通信端末装置。
【請求項５】
請求項１乃至４のいずれかの通信端末装置において、
前記主制御部は、前記時間変化画像の再生処理が一時停止された後、前記表示部の画面の明るさレベルが前記低レベルから通常表示レベルに切り換ったとき、又は前記表示部の画面への画像表示がオンになったとき、前記一時停止状態にある前記時間変化画像の再生処理を再開するように前記画像再生処理部を制御することを特徴とする通信端末装置。
【発明の詳細な説明】
【技術分野】
【０００１】
本発明は、携帯電話機等の携帯型の通信端末装置に関するものである。
【背景技術】
【０００２】
従来、壁紙やメニューの画像として３次元アニメーション画像や動画の時間変化画像を画面に表示可能な携帯型の通信端末装置である移動体通信端末が知られている。
【発明の開示】
【発明が解決しようとする課題】
【０００３】
ところが、上記移動体通信端末の画面に３次元アニメーション画像や動画の時間変化画像を表示する場合、画像ファイルに基づいて３次元アニメーション画像等の描画データを生成する比較的複雑な再生処理が必要となる。そのため、画像再生処理部に用いられるＧＰＵ（グラフィックス処理装置）やＣＰＵ（中央演算処理装置）等のハードウェアにおける処理の負荷が高くなり、消費電力が増加してしまう。特に、移動体通信端末の場合は、電源として内蔵の電池が用いられるため、消費電力が増加してしまうと、充電なしで使用可能な連続使用時間が短くなってしまう。
【０００４】
本発明は以上の問題点に鑑みなされたものであり、その目的は、時間的に変化する時間変化画像を表示する場合の消費電力を軽減することができる携帯型の通信端末装置を提供することである。
【課題を解決するための手段】
【０００５】
本発明に係る携帯型の通信端末装置は、画像を表示する表示部と、表示内容が時間的に変化する時間変化画像を前記表示部の画面に表示するように前記時間変化画像の再生処理を実行する画像再生処理部と、前記表示部の画面の明るさレベルの切り替えを制御可能な表示制御部と、前記表示部の画面に前記時間変化画像が表示されている状態で前記表示部の画面の明るさレベルが低レベルに切り換わったとき、前記時間変化画像の再生処理を一時停止するように前記画像再生処理部を制御する主制御部と、を備える。
この通信端末装置では、表示部の画面に時間変化画像が表示された後、表示部における消費電力を軽減するため所定のタイミングに表示部の画面の明るさレベルが低レベルに切り換わったとき、前記時間変化画像の再生処理を一時停止する。これにより、利用者が表示部の画面を見ていないと考えられる時間帯における画像再生処理部による無駄な再生処理を回避できる。
前記通信端末装置において、前記表示部は、バックライトを有する液晶ディスプレイであり、前記表示制御部は、前記バックライトを消灯することにより前記表示部の画面の明るさレベルを低レベルにするように制御するものであってもよい。この場合は、表示部を構成する液晶ディスプレイのバックライトを消灯することにより、表示部における消費電力が軽減される。
【０００６】
本発明に係る他の携帯型の通信端末装置は、画像を表示する表示部と、表示内容が時間的に変化する時間変化画像を前記表示部の画面に表示するように前記時間変化画像の再生処理を実行する画像再生処理部と、前記表示部の画面への画像表示のオン／オフの切り換えを制御可能な表示制御部と、前記表示部の画面に前記時間変化画像が表示されている状態で前記表示部の画面における画像表示がオフになったとき、前記時間変化画像の再生処理を一時停止するように前記画像再生処理部を制御する主制御部と、を備えたことを特徴とするものである。
この通信端末装置では、表示部の画面に時間変化画像が表示された後、表示部における消費電力を軽減するため所定のタイミングに表示部の画面における画像表示がオフになったとき、前記時間変化画像の再生処理を一時停止する。これにより、利用者が表示部の画面を見ていないと考えられる時間帯における画像再生処理部による無駄な再生処理を回避できる。
前記通信端末装置において、前記表示部は、バックライトを有する液晶ディスプレイであり、前記表示制御部は、前記液晶ディスプレイの駆動を停止することにより前記表示部の画面への画像表示をオフするように制御するものであってもよい。この場合は、表示部を構成する液晶ディスプレイの駆動を停止することにより、表示部における消費電力が軽減される。
【０００７】
また、前記各通信端末装置において、前記主制御部は、前記時間変化画像の再生処理が一時停止された後、前記表示部の画面の明るさレベルが前記低レベルから通常表示レベルに切り換ったとき、又は前記表示部の画面への画像表示がオンになったとき、前記一時停止状態にある前記時間変化画像の再生処理を再開するように前記画像再生処理部を制御するものであってもよい。この場合は、所定のタイミングで前記表示部の画面の明るさレベルが低レベルから通常表示レベルに切り換ったり前記表示部の画面への画像表示がオンになったりすることにより、表示部の表示部の画面に表示される画像を通常表示レベルの明るさで視認可能な状態になる。そして、前記一時停止状態の時間変化画像の再生処理が再開されるので、時間変化画像を通常表示レベルの明るさで視認可能になる。
なお、前記表示部の画面の明るさレベルが前記低レベルから前記通常表示レベルに切り換るタイミング、又は前記表示部の画面への画像表示がオンになるタイミングは、例えば、前記時間変化画像の再生処理が一時停止された後に利用者が操作を開始したタイミングである。
また、前記各通信端末装置において、前記時間変化画像は、３次元アニメーション画像又は動画であってもよい。この場合は、３次元アニメーション画像又は動画を表示する場合の消費電力を軽減することができる。
また、前記各通信端末装置において、前記時間変化画像は、壁紙又はメニューとして表示される画像であってもよい。この場合は、時間的に変化する時間変化画像を壁紙又はメニューとして表示する場合の消費電力を軽減することができる。
【発明の効果】
【０００８】
本発明によれば、表示部の画面に時間変化画像が表示された後、表示部における消費電力を軽減するため所定のタイミングに表示部の画面の明るさレベルが低レベルに切り換わったとき又は表示部の画面における画像表示がオフになったとき、前記時間変化画像の再生処理を一時停止することにより、利用者が表示部の画面を見ていないと考えられる時間帯における画像再生処理部による無駄な再生処理を回避できる。よって、時間変化画像を表示する場合の消費電力を軽減することができる。
【発明を実施するための最良の形態】
【０００９】
以下、本発明を携帯電話通信網１０を介して電話やメールの通信が可能な携帯型の通信端末装置である携帯電話機（移動体通信端末）２０に適用した実施形態について説明する。
図１は、本実施形態に係る携帯電話機２０の外観図であり、図２は、同携帯電話機２０のハードウェア構成の一例を示すブロック図である。本実施形態の携帯電話機２０は、システムバス２００、ＣＰＵ２０１、ＲＡＭ２０２やＲＯＭ２０３等からなるデータ記憶装置、入力装置２０４、出力装置２０５、携帯電話通信網用通信装置２０６、ＧＰＵ２０７を備えている。ＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５、マイク２６等から構成されている。上記出力装置２０５は、バックライトを有する液晶ディスプレイ（ＬＣＤ）２７、スピーカ２８等から構成されている。
【００１０】
上記携帯電話通信網用通信装置２０６は、携帯電話通信網１０を介して他の携帯電話機や上述したサーバ等と通信するためのものである。この携帯電話通信網用通信装置２０６は、携帯電話機通信網１０を介して他の携帯電話機とメールのやり取りを行ったり、携帯電話機通信網１０からゲートウェイサーバを介して、インターネット等の外部の通信ネットワークに接続し、インターネット上での電子メールのやり取り等を行ったりするためのものである。更に、この携帯電話通信網用通信装置２０６は、携帯電話通信網１０を介して、ダウンロードサーバが提供するアプリケーションプログラムをダウンロードしたり、現在位置の位置情報を含む配信情報を受信したりする情報受信手段としても用いられる。
【００１１】
また、上記データ入力キー２１、通話開始キー２２、終話キー２３等で構成されている操作部２２０は、ユーザーによって操作することができる。例えば、ユーザーは操作部２２０を操作することにより、携帯電話機２０に対してＵＲＬ等のデータを入力したり、電話着信の際に通話の開始及び終了を行ったり、アプリケーションプログラムの選択、起動及び停止を行ったりすることができる。また、ユーザーは操作部２２０を操作することにより、ダウンロードサーバからアプリケーションプログラムをダウンロードして登録したり、登録したアプリケーションプログラムを選択して実行したりすることができる。また、ユーザーは操作部２２０を操作することにより、携帯電話通信網１０の情報提供サーバから受信した情報を表示することもできる。
【００１２】
表示部２２１を構成する液晶ディスプレイ２７の画面には、壁紙や各種メニューの画像を表示することができる。特に、本実施形態の携帯電話機２０では、壁紙やメニューの画像として、表示内容が時間的に変化する時間変化画像を表示することができる。具体的には、時間変化画像として、３次元アニメーション画像や動画を再生して表示することができる。また、表示部２２１の画面には、携帯電話通信網１０を介して受信したＷｅｂページ画面を表示したり、携帯電話通信網１０から情報を着信した旨をユーザーに報知する報知画像を表示したりすることもできる。また、表示部２２１の画面には、ゲーム等のアプリケーションプログラムの実行中に、そのプログラム実行に関連した画像の表示や音の出力に用いたり、情報提供サーバから受信した情報を表示したりすることもできる。
【００１３】
ＧＰＵ２０７は、例えば画像処理専用の集積回路やビデオメモリ等を有し、３次元アニメーション画像や動画を再生して描画処理を実行するように構成された装置である。
【００１４】
図３は、本実施形態に係る携帯電話機２０の主要部を抽出して示した機能ブロック図である。携帯電話機２０は、画像再生処理部２２２と表示制御部２２３と主制御部２２４とを備える。画像再生処理部２２２は例えばＧＰＵ２０７やメモリ等からなる画像処理エンジン２０７で構成され、上記データ記憶装置に記憶されている画像ファイルに基づいて、３次元アニメーション画像や動画の時間変化画像を表示部２２１の表示部の画面に表示するように、時間変化画像の再生処理を実行する。例えば、画像再生処理部２２２は、所定のフォーマットで作成されている画像ファイルからデータを読み出し、時間経過とともに変化していくフレームごとに描画データを作成して所定のビデオメモリに保存する。このビデオメモリの描画データにより、表示部２２１の液晶ディスプレイ２７に３次元アニメーション画像や動画が表示される。
【００１５】
また、表示制御部２２３は例えばＣＰＵや制御回路等で構成され、表示部２２１の画面の明るさレベルの切り替えや、表示部２２１の画面への画像表示のオン／オフの切り換えを制御することができる。
例えば、表示制御部２２３は、ユーザーが操作部２２０を操作しない操作待ち状態が予め設定した所定時間だけ経過したタイミングに、表示部２２１のバックライトを消灯することにより液晶ディスプレイ２７の画面の明るさレベルを低レベルにするように制御する。この操作待ち状態になった後、ユーザーが操作部２２０の操作を開始すると、表示制御部２２３は、表示部２２１のバックライトを点灯することにより液晶ディスプレイ２７の画面の明るさレベルを低レベルから明るい通常表示レベルに戻すように制御する。
また、表示制御部２２３は、操作待ち状態が予め設定した所定時間だけ経過したタイミングに、表示部２２１の液晶ディスプレイ２７の駆動を停止することにより液晶ディスプレイ２７の画面への画像表示をオフするように制御してもよい。この場合、ユーザーが操作部２２０の操作を開始すると、表示制御部２２３は、表示部２２１の液晶ディスプレイ２７の駆動を再開することにより液晶ディスプレイ２７の画面への画像表示をオンするように制御する。
【００１６】
また、主制御部２２４は例えばＣＰＵ等で構成され、所定のプログラムが読み込まれて実行されることにより、各部の制御や各種処理を行うことができる。特に、本実施形態の携帯電話機２０では、次のような画像再生処理部２２２の制御を行うことができる。
例えば、主制御部２２４は、表示部２２１の画面に時間変化画像が表示されている状態で、表示部２２１のバックライトの消灯により液晶ディスプレイ２７の画面の明るさレベルが低レベルに切り換わったとき、上記時間変化画像の再生処理を一時停止するように画像再生処理部２２２を制御する。このように時間変化画像の再生処理を一時停止した後、表示部２２１の液晶ディスプレイ２７の画面の明るさレベルが低レベルから通常表示レベルに切り換ったとき、主制御部２２４は、一時停止状態にある時間変化画像の再生処理を再開するように画像再生処理部２２２を制御する。
また、主制御部２２４は、表示部２２１の画面に時間変化画像が表示されている状態で、表示部２２１の液晶ディスプレイ２７の駆動停止により液晶ディスプレイ２７の画面への画像表示がオフになったとき、上記時間変化画像の再生処理を一時停止するように画像再生処理部２２２を制御してもよい。この場合、時間変化画像の再生処理を一時停止した後、表示部２２１の液晶ディスプレイ２７の駆動再開により液晶ディスプレイ２７の画面への画像表示がオンになったとき、主制御部２２４は、一時停止状態にある時間変化画像の再生処理を再開するように画像再生処理部２２２を制御する。
【００１７】
ここで、上記主制御部２２４による画像再生処理部２２２の各種制御は、例えば主制御部２２４から画像再生処理部２２２に所定の制御コマンドを送信することにより実行される。
また、上記主制御部２２４は、上記表示部２２１の画面の明るさレベルの切り換えや表示部２２１の画面への画像表示のオン／オフに関する情報の通知を、表示制御部２２３から受ける。そして、主制御部２２４は、その表示制御部２２３からの通知に基づいて、画像再生処理部２２２における再生処理の一時停止及び再開の制御を実行する。
なお、上記表示制御部２２３による表示部２２１の画面の明るさレベルの切り換えや表示部２２１の画面への画像表示のオン／オフの制御は、主制御部２２４からの制御コマンドに基づいて実行するようにしてもよい。この場合、主制御部２２４は、表示制御部２２３からの通知によらずに、画像再生処理部２２２における再生処理の一時停止及び再開の制御を実行することができる。例えば、主制御部２２４は、操作待ち状態が予め設定した所定時間だけ経過したタイミングに、表示部２２１の画面の明るさレベルを低レベルにしたり表示部２２１の画面への画像表示のオフにしたりするための制御コマンドを表示制御部２２３に送信するとともに、上記３次元アニメーション画像等の時間変化画像の再生処理を一時停止するための制御コマンドを画像再生処理部２２２に送信する。
【００１８】
図４は、上記構成の携帯電話機２０において壁紙画像として３次元アニメーション画像を表示しているときの一制御例を示すフローチャートである。本制御例では、まず、表示部２２１の液晶ディスプレイの画面に、壁紙画像として、画像再生処理部２２２で再生された３次元アニメーション画像が表示される（Ｓ１０１、図５の画面９１１参照）。この壁紙画像が表示されている状態で、ユーザーが操作部２２０を操作せずに予め設定した所定時間が経過すると、表示制御部２２３は表示部２２１のバックライトを消灯するように制御する（Ｓ１０２）。これにより、液晶ディスプレイ２７の画面の明るさレベルが低レベルになる（図５の画面９１２参照）。そして、この液晶ディスプレイ２７のバックライトの消灯が表示制御部２２３から主制御部２２４に通知されると、主制御部２２４は、画像再生処理部２２２に所定の再生一時停止コマンドを送信し、画像再生処理部２２２による３次元アニメーション画像の再生処理を一時停止するように制御する（Ｓ１０３）。この一時停止により、ユーザが画面を見ていないと思われる操作待ち状態において、表示部２２１のバックライト消灯による消費電力の軽減とともに、画像再生処理部２２２の再生処理停止によって消費電力を軽減することができる。
その後、ユーザーが操作部２２０の操作を開始すると、表示制御部２２３は表示部２２１のバックライトを点灯するように制御する（Ｓ１０４）。これにより、液晶ディスプレイ２７の画面の明るさレベルが低レベルから明るい通常表示レベルに戻る（図５の画面９１３参照）。そして、この液晶ディスプレイ２７のバックライトの点灯が表示制御部２２３から主制御部２２４に通知されると、主制御部２２４は、画像再生処理部２２２に所定の再生再開コマンドを送信し、画像再生処理部２２２による３次元アニメーション画像の再生処理を再開するように制御する（Ｓ１０５）。これにより、ユーザーは、表示部２２１の画面で動くように表示されている３次元アニメーション画像からなる壁紙画像を視認できるようになる。
【００１９】
図６は、上記構成の携帯電話機２０の壁紙画像として３次元アニメーション画像を表示しているときの他の制御例を示すフローチャートである。本制御例において、まず、表示部２２１の液晶ディスプレイ２７の画面に、壁紙画像として、画像再生処理部２２２で再生された３次元アニメーション画像が表示される（Ｓ２０１、図７の画面９２１参照）。この壁紙画像が表示されている状態で、ユーザーが操作部２２０を操作せずに予め設定した所定時間が経過すると、表示制御部２２３は表示部２２１の液晶ディスプレイ２７の駆動を停止するように制御する（Ｓ２０２）。これにより、液晶ディスプレイ２７への画面がオフになる（図７の画面９２２参照）。そして、この液晶ディスプレイ２７の駆動停止が表示制御部２２３から主制御部２２４に通知されると、主制御部２２４は、画像再生処理部２２２に所定の再生一時停止コマンドを送信し、画像再生処理部２２２による３次元アニメーション画像の再生処理を一時停止するように制御する（Ｓ２０３）。この一時停止により、ユーザが画面を見ていないと思われる操作待ち状態において、表示部２２１の液晶ディスプレイ２７の駆動停止による消費電力の軽減とともに、画像再生処理部２２２の再生処理停止によって消費電力を軽減することができる。
その後、ユーザーが操作部２２０の操作を開始すると、表示制御部２２３は表示部２２１の液晶ディスプレイ２７の駆動を再開するように制御する（Ｓ２０４）。これにより、液晶ディスプレイ２７への画面が再開される（図７の画面９２３参照）。そして、この液晶ディスプレイ２７の駆動再開が表示制御部２２３から主制御部２２４に通知されると、主制御部２２４は、画像再生処理部２２２に所定の再生再開コマンドを送信し、画像再生処理部２２２による３次元アニメーション画像の再生処理を再開するように制御する（Ｓ２０５）。これにより、ユーザーは、表示部２２１の画面で動くように表示されている３次元アニメーション画像からなる壁紙画像を視認できるようになる。
【００２０】
なお、上記実施形態の図４〜７の例では、表示部２２１の画面の壁紙画像として３次元アニメーション画像を表示する場合の制御について説明したが、同様な制御は、表示部２２１の画面のメニュー画像として３次元アニメーション画像を表示する場合にも適用できる。また、同様な制御は、表示部２２１の画面の壁紙画像やメニュー画像としてビデオカメラ等で撮影された動画を表示する場合にも適用できる。
【００２１】
以上、本実施形態によれば、表示部２２１の画面に３次元アニメーション画像等の時間変化画像が表示された後、表示部における消費電力を軽減するため所定のタイミングに画面の明るさレベルが低レベルに切り換わったとき又は画面における画像表示がオフになったとき、３次元アニメーション画像等の時間変化画像の再生処理を一時停止している。これにより、利用者が画面を見ていないと考えられる時間帯における画像再生処理部２２２による無駄な再生処理を回避できる。よって、３次元アニメーション画像等の時間変化画像を表示する場合の消費電力を軽減することができる。
【００２２】
以上、本発明の好ましい実施形態を説明したが、本発明の範囲又は趣旨から逸脱することなく、特許請求の範囲に記載された技術的事項の範囲内において、開示した実施形態に種々の変更を加えることができる。
【００２３】
例えば、本発明は、携帯電話機に限定することなく、３次元アニメーション画像や動画の時間変化画像を画面に表示可能な様々な通信端末装置に適用することができる。すなわち、本発明は、各種通信方式の様々な世代の携帯電話機、ＰＨＳ（Personal Handyphone System）、携帯可能なＰＤＡ（Personal Digital Assistance）、携帯可能なコンピュータ装置等の通信端末にも適用できる。
【００２４】
また、上記携帯型の通信端末装置における処理・制御は、それらに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００２５】
【図１】本発明の実施形態に係る携帯電話機の外観図。
【図２】同携帯電話機のハードウェア構成を示す概略構成図。
【図３】同携帯電話機の主要部を抽出して示した機能ブロック図。
【図４】壁紙画像として３次元アニメーション画像を表示しているときの一制御例を示すフローチャート。
【図５】図４の制御例における画面の遷移を示す説明図。
【図６】壁紙画像として３次元アニメーション画像を表示しているときの他の制御例を示すフローチャート。
【図７】図６の制御例における画面の遷移を示す説明図。
【符号の説明】
【００２６】
１０    携帯電話通信網
２０    携帯電話機
２２１  表示部
２２２  画像再生処理部
２２３  表示制御部
２２４  主制御部
【図１】
2010011334.tif 000003
【図２】
2010011334.tif 000004
【図３】
2010011334.tif 000005
【図４】
2010011334.tif 000006
【図６】
2010011334.tif 000007
【図５】
2010011334.tif 000008
【図７】
2010011334.tif 000009